(57)【特許請求の範囲】
【請求項１】
刺しゅうされたＩＤと、
前記ＩＤが隠れるように、かつ前記ＩＤを残したまま解くことができるように縫いこまれた刺しゅうと、
を備えるＩＤ内蔵刺しゅう。
【発明の詳細な説明】
【技術分野】
【０００１】
本発明は、ＩＤを内包する、刺繍または、プリント加工方法に関する。
【背景技術】
【０００２】
ブランド品のような物品は偽造されやすく、特にブランドのロゴマークの刺しゅうは、巧妙に偽造されることが多かった。具体的には、ブランドのロゴマークの刺しゅうの委託工場の従業員が違法に刺しゅうを製造し、それを横流しするという行為が行われている。そこで、物品の真鴈を判別するための方法が求められている。
【０００３】
この点に関し、特許文献１には、刺しゅうの裏側にＩＤを縫いこむ技術が開示されている。
【０００４】
しかし、この技術においてはＩＤが読み取られるため、ＩＤが容易に偽造されるという問題点があった。また、裏面の外観が悪くなるという問題点があった。さらに、裏面に刺繍するためには、刺しゅうする際に被刺しゅう物を裏返さなければならず、特殊な装置が必要となり刺しゅうの製造コストが上昇するという問題点があった。
【特許文献１】特開２００５−４２２９１号公報
【発明の開示】
【発明が解決しようとする課題】
【０００５】
本発明は上記のような問題点に鑑みてなされたものであり、安価に容易に読み取りにくいＩＤを内蔵することが可能なＩＤ内蔵刺しゅうを提供することを目的とする。
【課題を解決するための手段】
【０００６】
この目的を達成するために、本発明は、刺しゅうされたＩＤと、ＩＤが隠れるように、かつＩＤを残したまま解くことができるように縫いこまれた刺しゅうと、を備えるＩＤ内蔵刺しゅうを提供する。
【発明の効果】
【０００７】
本発明のＩＤ刺しゅう装置によれば、ＩＤを刺しゅう乃至印刷してからこのＩＤが隠れるように図形を刺しゅうする。このため、ＩＤを含む外観の良い刺しゅうが安価に製造できるという効果がある。
【発明を実施するための最良の形態】
【０００８】
本発明の可能なＩＤ刺しゅう装置及びＩＤ内蔵刺しゅうの一実施形態を、図面を用いて説明する。図１は本実施形態のＩＤ内蔵刺しゅう１２を示した図である。本実施形態のＩＤ内蔵刺しゅう１２は、ＩＤ１１を縫いこみ、このＩＤ１１が隠れるようにさらに図形を縫いこんで形成される。また、本実施形態のＩＤ内蔵刺しゅうは、ＩＤを印刷し、前記ＩＤが隠れるようにさらに図形を縫いこんで形成される。
【０００９】
図１（ａ）に示すように、まずＩＤ１１が縫いこまれる。必要に応じて下縫いとして図形の枠１０が縫いこまれる。次に、図１（ｂ）に示すように、図形が縫いこまれる。
【００１０】
なお、応用例としてＩＤを印刷し、このＩＤが隠れるようにさらに図形を縫いこんだＩＤ内蔵刺しゅうを形成することができる。印刷の方法は問わない。
【００１１】
なお、ＩＤは手動によって刺しゅう又は印刷されてもよい。また、ＩＤを隠す図形の刺しゅうの代わりにＩＤを隠す図形のプリントを施してもよい。
【００１２】
ＩＤの確認は、ＩＤを刺しゅうした場合及びＩＤを印刷した場合は、図形部分の刺しゅうをほどいて真贋を目視確認する。
【００１３】
図２は、ＩＤ内蔵刺しゅうに関する作業フローを示した図である。
【００１４】
刺繍の場合について説明する。
まず、刺繍を例にすると、商標権の使用権を持つ販売会社から、求められている刺繍をするとき、その刺繍作業の工程の中に、ＩＤを縫いこむ作業を追加する。このＩＤには、刺繍を行う工場を特定できる情報と、その刺繍を行う時期の情報が入っている。
【００１５】
依頼されたマークや文字の刺繍を終えたら、表からも裏からも、そのＩＤが見えないばかりか、ＩＤが存在することも判別できない。これは、物品１種類に１つのＩＤをつける。つまり同時期に同じ工場で作られた、同じ物品であれば、ＩＤはそれぞれ同じである。
【００１６】
そのＩＤの情報管理は、刺繍の依頼を受けた、弊社だけが行うものとする。刺繍の工場は、物品販売会社は、多くの工場に依頼するために、その工場１軒ずつが管理するのではなく、弊社１社だけが、すべてのＩＤを管理するのである。刺繍の場合は、主に、自動刺繍機械に、そのマーキングや文字の型（プログラム）を入力することによって、なされる。そのときその型を弊社だけが作成するものとする。
【００１７】
真贋の判別について説明する。販売会社は、その商品を販売できる権利を有していない販売店で、その販売会社の商標のある物品を購入し、それを弊社に送付する。すなわちそれは偽物である。弊社で、その刺繍を解き、その内包されているＩＤを見て、その内容を販売会社に知らせる。
【００１８】
そのＩＤには、刺繍の製造工場と、製造時期が入っていれば、それは、正規の製造を依頼された工場が、正式依頼数量よりも多く作成し、その分を、正規品販売会社に納品せずに、無関係の悪意を持った第三者に販売したものとなる。そなわち、いくら物品が、本物と同じであっても、正規流通ルートを通らない物品は、商標権を侵害しているので、偽物と判断される。もし、刺繍を解いても、ＩＤが見つからなかった場合は、無関係の悪意を持った者が、本物に似せた物品を製造していることだと、判別される。
【００１９】
プリントの場合について説明する。まず、プリントも生産の流れは、刺繍と同様に、商標権の使用権を持つ販売会社から、求められた柄をプリントする。そのとき、表面や、裏面からは、見えないように、柄のプリントを行う途中工程で、別のインクや溶剤を使って、ＩＤをプリントする。ＩＤを見たい場合は、その表面の柄を溶かしたり、削ったりして、ＩＤを見ることができる。
【００２０】
このＩＤには、プリントを行う工場を特定できる情報と、そのプリントを行う時期の情報が入っている。依頼されたマークや文字のプリントを終えたら、表からも裏からも、そのＩＤが見えないばかりか、ＩＤが存在することも判別できない。
【００２１】
これは、刺繍と同様に、物品１種類に１つのＩＤをつける。つまり同時期に同じ工場で作られた、同じ物品であれば、ＩＤはそれぞれ同じである。そのＩＤの情報管理は、プリントの依頼を受けた、弊社だけが行うものとする。プリントの工場は、物品販売会社は、多くの工場に依頼するために、その工場1軒ずつが管理するのではなく、弊社１社だけが、すべてのＩＤを管理するのである。プリントの場合は、主に、シルクスクリーンに、そのマーキングや文字の型（プログラム）を入力することによって、なされる。そのときその型を弊社だけが作成するものとする。
【００２２】
真贋の判別について説明する。販売会社は、その商品を販売できる権利を有していない販売店で、その販売会社の商標のある物品を購入し、それを弊社に送付する。すなわちそれは偽物である。
【００２３】
弊社で、そのプリントの表面を溶かしたり、削ったりして、その中に内包されているＩＤを見る。その内容を販売会社に知らせる。そのＩＤには、プリントの製造工場と、製造時期が入っていれば、それは、正規の製造を依頼された工場が、正式依頼数量よりも多く作成し、その分を、正規品販売会社に納品せずに、無関係の悪意を持った第三者に販売したものとなる。そなわち、いくら物品が、本物と同じであっても、正規流通ルートを通らない物品は、商標権を侵害しているので、偽物と判断される。もし、ＩＤが見つからなかった場合は、無関係の悪意を持った者が、本物に似せた物品を製造していることだと、判別される。
【００２４】
以上述べたように、本実施形態においてはＩＤを刺しゅう乃至印刷してからこのＩＤが隠れるように図形を刺しゅうする。このため、ＩＤを含む外観の良い刺しゅうが安価に製造できるという効果がある。また、ＩＤにより製造工場、製造年月日が分かり、偽造防止や、製造工場による不正追加製造を判定することが可能となるという効果がある。
【産業上の利用可能性】
【００２５】
本発明のＩＤ刺しゅう装置及びＩＤ内蔵プリントは、ブランド品の真贋の識別のほか、社員の制服の真贋の判定にも利用できる。
【図面の簡単な説明】
【００２６】
【図１】本実施形態のＩＤ内蔵刺しゅうを示した図である。
【図２】ＩＤ内蔵刺しゅうに関する作業フローを示した図である。
【符号の説明】
【００２７】
１０：枠、
１１：ＩＤ、
１２：ＩＤ内蔵刺しゅう。
【図１】
0004908365.tif 000002
【図２】
0004908365.tif 000003